(57)【要約】【課題】  セパレートボルトの溶接台で、一定の長さの物しか出来ない不便さの解消等。【解決手段】  軽ミゾ鋼で出来たテーブルに、移動式長さ基準板１と、たわみ防止金具３を備えたセパレートボルト製作用の溶接台により、この課題を解決する。【選択図】  図１
0003115692.tif 000002
【実用新案登録請求の範囲】
【請求項１】
Ｃ型鋼のテ−ブルに、長さ基準板とロ−ラ−キャッチなどのボルト保持具付固定金具と長さ基準板とロ−ラ−キャッチなどのボルト保持具付移動式金具を備えた鉄筋の両端にセパボルトを溶接し、セパレ−トボルトを製作する溶接台。
【請求項２】
請求項１の溶接台のＣ型鋼のテ−ブルに取り付けた移動式のたわみ防止兼ア−ス金具。
【考案の詳細な説明】
【技術分野】
【０００１】  本考案は、鉄筋の両端にセパボルトを溶接し、セパレ−トボルトを製作する溶接台に関する。
【背景技術】
【０００２】  従来のセパレ−トボルト製作の溶接台は、セパボルトを保持する金具がテ−ブル上の両端に固定されていた。
【考案の開示】
【考案が解決しようとする課題】
【０００３】  しかしこれでは１，０００ｍｍ用の溶接台なら１，０００ｍｍのセパレ−トボルトしか溶接製作できない。コンクリ−ト打設用型板のセパレ−トボルトの寸法は工事現場によつて、さまざまな長さとなり工事現場で型板にあてがい溶接することもある。
【課題を解決するための手段】
【０００４】  そこで一方を固定したロ−ラ−キャッチ付セパボルト保護金具（以下固定式ボルト保持金具という）、一方を移動できるロ−ラ−キヤッチ付セパボルトの保持金具（以下移動式ボルト保持金具という）とし、それぞれの金具に長さ基準板を備えた。
【考案の効果】
【０００５】  よって固定式ボルト保持金具の長さ基準板と移動式ボルト保持金具の長さ基準板との間隔が、溶接製作するセパレ−トボルトの長さとなる。移動式ボルト保持金具を移動させることにより長さの異なるセパレ−トボルトの溶接が１台の溶接台でできた。
また、セパボルトのたわみ防止兼ア−ス金具も移動式のため必要な所に移動させることができる。
【考案を実施するための最良の形態】
【０００６】  本考案によるセパレ−トボルトの溶接台は、図１に示すようにＣ型鋼で出来たテ−ブルに固定式ボルト保持金具２と、移動式ボルト保持金具１がある。固定式ボルト保持金具と移動式ボルト保持金具には、製作するセパボルトの長さを決める長さ基準板がついている。移動式ボルト保持金具を製作するセパレ−トボルトにあわせ移動させ、ハンドル付セットボルトでテ−ブルに固定して使用すれば良い。
【図面の簡単な説明】
【０００７】
【図１】    本考案による溶接台の斜視図である。
【符号の説明】
【０００８】  １    移動式ボルト保持金具
２    固定式ボルト保持金具
３    たわみ防止兼ア−ス金具
４    テ−ブル
５    移動式ボルト保持金具のハンドル付セットボルト
６    足
７    落し込み取手
１０    ボルト保持金具
２０    長さ基準板
【図１】
0003115692.tif 000003
【手続補正書】
【提出日】平成17年3月3日(2005.3.3)
【手続補正１】
【補正対象書類名】実用新案登録請求の範囲
【補正対象項目名】全文
【補正方法】変更
【補正の内容】
【実用新案登録請求の範囲】
【請求項１】
アングルで作った門型の足の上に、軽ミゾ鋼のミゾ部を上にして乗せテーブルとした。そのテーブルの両端にセパレートボルトのボルト部を固定するボルト保持金具をつけた長さ基準板を備える。その長さ基準板の一方は、固定式長さ基準板という固定されたものだが、片方は左右に動かすことによって、長さを自由に調整することができる移動式長さ基準板。この移動式長さ基準板には、移動後固定するハンドル付きセットボルトが付いている。
長いセパレートボルトを製作する場合、固定式長さ基準板と移動式長さ基準板との間で鉄筋にたわみができるので、軽ミゾ鋼のミゾ両側の立ち上がり部に、はまるよう切り込みを２ヶ所入れたたわみ防止金具をそなえた。
【手続補正２】
【補正対象書類名】明細書
【補正対象項目名】全文
【補正方法】変更
【補正の内容】
【考案の詳細な説明】
【技術分野】
【０００１】  本考案は、鉄筋の両端にセパレートボルトを溶接するセパレートボルト製作用の溶接台に関する。
【背景技術】
【０００２】  従来のセパレートボルト製作の溶接台は、セパレートボルトをはさむ金具が溶接台の両端に固定されており、鉄筋の長さが決まっていた。
【考案の開示】
【考案が解決しようとする課題】
【０００３】  しかし、これでは溶接台の長さと違う鉄筋を使ってセパレートボルトを製作したい場合大変不便である。
【課題を解決するための手段】
【０００４】  そこで、一方を移動することができる移動式長さ基準板をつけたセパレートボルト製作用の溶接台を考案した（図１）。この移動式長さ基準板により、長さの違うセパレートボルトを製作できる。
【考案の効果】
【０００５】  よって、本考案のセパレートボルト製作用の溶接台により、長さの違うセパレートボルトを、移動式長さ基準を左右に動かすだけで簡単に製作出来る。
また、長いセパレートボルトを製作する場合、たわみ防止金具も移動式になっているので必要なヶ所へ移動させ、たわむ事がなく製作できる。
【考案を実施するための最良の形態】
【０００６】  本考案によるセパレートボルトの溶接台は、図１に示すように軽ミゾ鋼テーブル４に固定式長さ基準板２と、移動式長さ基準板１があり、移動式長さ基準板を左右に移動さすことによって、製作するセパレートボルトの長さを自由に決めることができる。なお、移動式長さ基準板はハンドル付きセットボルト５で、Ｃ型鋼のテーブルに固定して使用する。また、長いセパレートルトを作る時、中央で鉄筋がたわむ場合があるが、たわみ防止金具３を設置することによって解決された。
【図面の簡単な説明】
【０００７】
【図１】  本考案によるセパレートボルト製作用の溶接台の斜視図である。
【符号の説明】
【０００８】  １    移動式長さ基準板
２    固定式長さ基準板
３    たわみ防止金具
４    軽ミゾ鋼のテーブル
５    ハンドル付きセットボルト
６    足
１０  ボルト保持金具
【手続補正３】
【補正対象書類名】図面
【補正対象項目名】図１
【補正方法】変更
【補正の内容】
【図１】
0003115692.tif 000004
【手続補正書】
【提出日】平成17年7月29日(2005.7.29)
【手続補正１】
【補正対象書類名】実用新案登録請求の範囲
【補正対象項目名】全文
【補正方法】変更
【補正の内容】
【実用新案登録請求の範囲】
【請求項１】
鋼材で作った門型の足の上に、軽ミゾ鋼のミゾ部を上にして乗せテーブルとし、そのテーブルの両端にセパレートボルト部を固定するボルト保持金具をつけた長さ基準板を備えその長さ基準版の一方は、固定式長さ基準板という固定されたもので、片方は左右に動かすことによって、長さを自由に調整することが出来る移動式長さ基準板であり、この移動式長さ基準板には移動後固定するハンドル付きセットボルトを付ける、これによって長いセパレートボルトを製作する場合、固定式長さ基準板と移動式長さ基準板との間で鉄筋にたわみが出来るので、軽ミゾ鋼のミゾ両側の立上り部に、はさまるよう切り込みを２箇所入れたたわみ防止金具を備えた事を特徴とするセパレートボルト製作用の溶接台。
【手続補正２】
【補正対象書類名】手続補正書
【補正対象項目名】手続補正４
【補正方法】削除
【補正の内容】